(57)【要約】  座席カバー、保守キット及び車両である。車両の座席用の取り外し可能な座席カバーは、第１の部分（１Ａ）及び第２の部分（１Ｂ）と、座席カバーの第１の部分及び第２の部分に連結するように構成された第１の連結構成（１４）と、座席カバーを車両の座席に対して取り付けるように構成された少なくとも１つの取付け構成（９）とを含み、第１の連結構成は、取付け構成の分離時に、座席カバーが座席に対して実質的に取り付けられている状態で、座席カバーの第１の部分及び第２の部分を互いに対して動かすことができるように構成される。【選択図】      図７
2015508737.tif 000002
【特許請求の範囲】
【請求項１】
車両の座席用の取り外し可能座席カバーであって、前記取り外し可能座席カバーは、
第１の部分及び第２の部分と、
前記座席カバーの前記第１の部分及び第２の部分に連結するように構成された第１の連結構成と、
前記座席カバーを車両の座席に対して取り付けるように構成された少なくとも１つの取付け構成と、
を含み、前記第１の連結構成は、前記取付け構成の分離時に、前記座席カバーが前記座席に対して実質的に取り付けられている状態で、前記座席カバーの前記第１の部分及び第２の部分を互いに対して動かすことができるように構成されることを特徴とする座席カバー。
【請求項２】
前記座席カバーは、前記座席の背もたれ、座席クッション、及び座席ヘッドレストの少なくとも一部を覆うように構成され、
前記座席カバーの前記第１の部分及び第２の部分は、前記座席カバーのメインパネルの幅の少なくとも一部を横切って延びるスリットによって定められ、
前記第１の連結構成は、再連結可能な連結構成であることを特徴とする、請求項１に記載の座席カバー。
【請求項３】
第３の部分及び第４の部分と、
前記座席カバーの前記第３の部分及び第４の部分に連結するように構成された第２の連結構成と、
を含み、前記第２の連結構成は、前記取付け構成の分離時に、前記座席カバーが前記座席に対して実質的に取り付けられている状態で、前記カバーの前記第３の部分及び第４の部分を互いに対して動かすことができるように構成されることを特徴とする、請求項１又は２に記載の座席カバー。
【請求項４】
前記座席カバーの前記第３の部分及び第４の部分は、前記座席カバーの前記メインパネルの幅の少なくとも部分を横切って延びるスリットにより定められ、
前記第２の連結構成は、再連結可能な連結構成であることを特徴とする、請求項３に記載の座席カバー。
【請求項５】
前記少なくとも１つの取付け構成は、前記座席の背面の少なくとも一部分を収容するように構成されたポケットを含むことを特徴とする、請求項１乃至請求項４の何れか１項に記載の座席カバー。
【請求項６】
前記少なくとも１つの取付け構成は、前記シートの前記クッションの少なくとも一部分を収容するように構成されたポケットを含むことを特徴とする、請求項１乃至請求項５の何れか１項に記載の座席カバー。
【請求項７】
前記座席カバーはメインパネルを含むことを特徴とする、請求項１乃至請求項６の何れか１項に記載の座席カバー。
【請求項８】
前記座席カバーの前記第１の部分は、前記メインパネルの一部分であることを特徴とする、請求項７に記載の座席カバー。
【請求項９】
前記座席カバーの前記第２の部分は、前記少なくとも１つの取付け構成の一部分であることを特徴とする、請求項７乃至請求項８の何れか１項に記載の座席カバー。
【請求項１０】
前記座席カバーの前記第２の部分は、前記メインパネルの一部分であることを特徴とする、請求項７乃至請求項８の何れか１項に記載の座席カバー。
【請求項１１】
前記座席カバーの前記第１の部分及び第２の部分は、前記メインパネル内のスリットにより定められることを特徴とする、請求項１０に記載の座席カバー。
【請求項１２】
前記スリットは、前記メインパネルの幅の一部を横切って延びることを特徴とする、請求項１１に記載の座席カバー。
【請求項１３】
前記連結構成の少なくとも一部は、前記少なくとも１つの取付け構成上に設けられることを特徴とする、請求項１乃至請求項１２の何れか１項に記載の座席カバー。
【請求項１４】
前記少なくとも１つの取付け構成は、前記座席カバーの第１部分を前記座席の前記背面に取り付けるための構成を含み、前記座席カバーの前記第１部分は、前記座席カバーの前記第１部分の一部分であることを特徴とする、請求項１乃至請求項１３の何れか１項に記載の座席カバー。
【請求項１５】
前記座席カバーの前記メインパネルは、前記座席の背もたれ、座席クッション及び座席ヘッドレストの少なくとも一部を覆うように構成されることを特徴とする、請求項１乃至請求項１４の何れか１項に記載の座席カバー。
【発明の詳細な説明】
【技術分野】
【０００１】
本発明の実施形態は、座席用のカバーに関する。より具体的には、本発明の実施形態は、車両の座席用の取り外し可能なカバーに関する。本発明の実施形態はまた、そうしたカバーを含む保守キット、及びそうしたカバーが取り付けられる座席を有する車両にも関する。
【背景技術】
【０００２】
車両の作業を行うメカニック（自動車整備修理工）は、例えば油で汚れた衣服又はつなぎ服を着ていることが多い。車両の作業の一部として、メカニックは、車両のエンジンを始動させ、車両を動かし、及び／又は試験運転するために、運転席に座ることを求められることが多い。しかしながら、メカニックの汚れた衣服により、運転席の表皮（ｕｐｈｏｌｓｔｅｒｙ）にしみが付くことがある。
【０００３】
その結果、一般的に、座席の表皮を覆うように、車両の１つ又はそれ以上の座席に固定される一時的な座席カバーが提供される。一時的座席カバーは、座席の表皮を保護する。
しかしながら、従来の一時的座席カバーは、それらが取り付けられる座席と関連付けられたシートベルトへのアクセスを妨げることがある。さらに、一時的座席カバーは、座席に取り付けられたエアバッグの展開を妨げることもある。
【０００４】
本発明の実施形態は、従来技術と関連した１つ又はそれ以上の問題を改善しようとするものである。
【発明の概要】
【０００５】
従って、本発明の１つの態様は、車両の座席用の取り外し可能な座席カバーを提供し、この取り外し可能座席カバーは、第１の部分及び第２の部分と、座席カバーの第１の部分及び第２の部分に連結するように構成された第１の連結構成と、座席カバーを車両の座席に対して取り付けるように構成された少なくとも１つの取付け構成とを含み、第１の連結構成は、取付け構成の分離時に、座席カバーが座席に対して実質的に取り付けられている状態で、座席カバーの第１の部分及び第２の部分を互いに対して動かすことができるように構成される。
【０００６】
座席カバーは、座席の背もたれ（ｓｅａｔ  ｂａｃｋ）、座席クッション（ｓｅａｔ  ｓｑｕａｂ）、座席ヘッドレストの少なくとも一部を覆うように構成することができ、座席カバーの第１の部分及び第２の部分は、座席カバーのメインパネルの幅の少なくとも一部を横切って延びるスリットによって定められ、第１の連結構成は、再連結可能な連結構成とすることができる。
【０００７】
座席カバーは、第３の部分及び第４の部分と、座席カバーの第３の部分及び第４の部分に連結するように構成された第２の連結構成とを含み、第２の連結構成は、取付け構成の分離時に、座席カバーが座席に対して実質的に取り付けられている状態で、カバーの第３の部分及び第４の部分を互いに動かすことができるように構成される。
【０００８】
座席カバーの第３の部分及び第４の部分は、座席カバーのメインパネルの幅の少なくとも一部を横切って延びるスリットにより定められ、第２の連結構成は、再連結可能な連結構成とすることができる。
【０００９】
少なくとも１つの取付け構成は、座席の背面の少なくとも一部分を収容するように構成されたポケットを含むことができる。
少なくとも１つの取付け構成は、座席のクッションの少なくとも一部分を収容するように構成されたポケットを含むことができる。
【００１０】
座席カバーは、メインパネルを含むことができる。
座席カバーの第１の部分は、メインパネルの一部分とすることができる。
座席カバーの第２の部分は、少なくとも１つの取付け構成の一部分とすることができる。
【００１１】
座席カバーの第２の部分は、メインパネルの一部分とすることができる。
座席カバーの第１の部分及び第２の部分は、メインパネル内のスリットにより定めることができる。
スリットは、メインパネルの幅の一部を横切って延びることができる。
【００１２】
連結構成の少なくとも一部は、少なくとも１つの取付け構成上に設けることができる。
少なくとも１つの取付け構成は、座席カバーの第１部分を座席の背面に取り付けるための構成を含み、座席カバーの第１の部分は座席カバーの第１部分の一部分である。
【００１３】
座席カバーのメインパネルは、座席の背もたれ、座席クッション及び座席ヘッドレストの少なくとも一部を覆うように構成することができる。
本発明の別の態様は、そうした座席カバーを含む車両保守キットを提供する。
【００１４】
本発明の別の態様は、車両保守キットを含む車両を提供する。
本発明の別の態様は、そうした座席カバーが取り付けられる座席を含む車両を提供する。
【００１５】
添付図面を参照して、本発明の実施形態の態様が、単なる例として本明細書に説明される。
【図面の簡単な説明】
【００１６】
【図１】１つの実施形態の背面図を示す。
【図２】１つの実施形態の側面図を示す。
【図３】１つの実施形態の端面図を示す。
【図４】１つの実施形態の前面図を示す。
【図５】座席に取り付けられた１つの実施形態による座席カバーの図を示す。
【図６】座席に取り付けられた１つの実施形態による座席カバーの図を示す。
【図７】座席に取り付けられた１つの実施形態による座席カバーの図を示す。
【発明を実施するための形態】
【００１７】
図１−図７を参照すると、本発明の１つの実施形態は、車両３の座席２を覆うための座席カバー１を含む。
座席カバー１は、座席２の表皮の少なくとも一部が汚れる又は他の方法で損傷されるのを防ぐように、座席２の本質的部分を覆うように構成されたメインパネル４を含む。
【００１８】
メインパネル４は、第１の取付け構成５及び第２の取付け構成６によって座席２に固定可能である。第１の取付け構成５は、座席２の背面７に対してカバー１のメインパネル４の第１部分を固定するように構成される。第２の取付け構成６は、座席２のクッション８に対してカバーのメインパネル４の第２部分を固定するように構成される。メインパネル４の第１部分及び第２部分は一体形成してもよい。
実施形態においては、座席２に対してメインパネル４を固定するために、１つだけの取付け構成が提供される。他の実施形態においては、２つより多い取付け構成が提供される。
【００１９】
実施形態において、第１の取付け構成５は、第１のポケット９を設けることにより形成される。第１のポケット９は、座席２の背面７の少なくとも一部を収容するように構成される。実施形態において、座席２の背面７は、座席２のヘッドレスト１０を含み、ヘッドレスト１０は、第１のポケット９により完全に又は部分的に収容することができる。
【００２０】
第１のポケット９は、メインパネル４の長さに沿って、かつ、実質的にメインパネル４の全幅を横切って延びる。第１のポケット４は、メインパネル４の後面に隣接して配置される。第１のポケット９は、メインパネル４の第１部分の周囲の少なくとも一部の周りでメインパネル４に固定される第１のポケットパネル１１により形成することができる。第１のポケット９は、通常、座席カバー２のメインパネル４の第２部分に面する開口部を有する。
【００２１】
実施形態において、第２の取り付け構成６は、第２のポケット１２を設けることにより形成される。第２のポケット１２は、座席２のクッション８の少なくとも一部を収容するように構成される。
第２のポケット１２は、メインパネル４の長さに沿って、かつ、実質的にメインパネル４の全幅を横切って延びる。第２のポケット１２は、メインパネル４の後面に隣接して配置される。第２のポケット１２は、メインパネル４の第２部分の周囲の少なくとも一部の周りでメインパネル４に固定される第２のポケットパネル１３により形成することができる。第２のポケット１２は、通常、座席カバー２のメインパネル４の第１部分に面する開口部を有する。
【００２２】
従って、実施形態において、メインパネル４は、後面及び前面を有する。第１のポケット９及び第２のポケット１２は、メインパネル４の後面に隣接して設けられる。メインパネル４の前面は、接触面、すなわち、カバー１が取り付けられた座席２上に座ったときに使用者が接触する面となるように構成される。
実施形態において、第１のポケット９及び／又は第２のポケット１２の少なくとも一部は、カバー１のメインパネル４により形成される。
【００２３】
実施形態において、第１のポケット９及びメインパネル４は、細長い材料シートを準備し、その材料を、シート幅を横切るその一方の端部の方向に（すなわち、シートの長手方向軸に対して略直角な線に沿って）折り畳むことにより形成することができる。折り畳み部の一方の側の方向の材料シートの材料は、通常、メインパネル４を形成し、折り畳み部の他方の側の方向の材料シートの材料は、通常、第１のポケットパネル１１を形成する。次に、折り畳まれた材料シートの重複する縁部が互いに取り付けられて、第１のポケット９を形成する。折り畳み部に隣接する材料シートのセクションを除去して、カバー１の湾曲した端部をもたらすことができる。
【００２４】
メインパネル４及び第１のポケットパネル１１の縁部に管（ｐｉｐｉｎｇ）を設けて、パネルを補強し、パネル４、１１を形成するのに用いられる材料が破れる、さもなければ損傷するリスクを減らすことができる。
【００２５】
実施形態において、第２のポケット１２は、第１のポケット９が形成されるシートの対向する端部の方向のシート幅を横切る線に沿って材料シートを折り畳むことにより、類似の方法で形成することができる（これにより第２のポケットパネル１３が定められる）。次に、折り畳まれたシートの重複する縁部が互いに取り付けられて、第２のポケット１２を形成する。折り畳み部に隣接する材料シートのセクションを除去して、カバー１の湾曲した端部をもたらすことができる。メインパネル４及び第２のポケットパネル１３の縁部に管を設けて、パネルを補強し、パネル４、１１を形成するのに用いられる材料が破れる、さもなければ損傷するリスクを減らすことができる。
【００２６】
実施形態において、第１のポケットパネル１１は、深さパネル１１Ａによりメインパネル４に取り付けられる。深さパネル１１Ａは、その遠隔端部の方向にテーパ状になる細長いパネルである。深さパネル１１Ａの長手方向縁部は、その端部においてカバー１のメインパネル４の縁部にかつその周りに取り付けられる。深さパネル１１Ａの対向する長手方向縁部は、第１のポケットパネル１１の対応する縁部にかつその周りに取り付けられる。従って、深さパネル１１Ａは、第１のポケット９に付加的な深さを与え、第１のポケット９は、座席２の背面７の深さにより容易に収容することができる。実施形態において、第１のポケット９の深さは、メインパネル４の端部の方向に最も大きくなる（深さパネル１３のテーパ形状の結果として）。実施形態において、深さパネル１１Ａは、ほぼ一定の幅を有し、テーパ状ではなく、ほぼ均一の深さを有する第１のポケット９をもたらす。
【００２７】
第１のポケットパネル１１の自由縁部には、第１のポケット９の開口部を閉鎖位置の方向に付勢する弾力のある付勢部材を設けることができる。付勢部材は、第１のポケットパネル１１の自由縁部に沿って取り付けられた弾性ストリップを含むことができる。
【００２８】
カバー１は、取り外し可能な連結構成１４により互いに連結された第１の部分１Ａ及び第２の部分１Ｂを含む。第１の部分１Ａはメインパネル４の一部とすることができ、第２の部分１Ｂは第１のポケット９（設けられる場合）の一部とすることができる。第１の部分１Ａはメインパネル４のある部分であり、第２の部分１Ｂはメインパネル４の別の部分であってもよい。第１の部分１Ａはメインパネル４の一部であり、第２の部分１Ｂは第２のポケット１２の一部であってもよい。
【００２９】
連結構成１４は、カバー１の第１の部分１Ａ及び第２の部分１Ｂを互いに連結し、これらが実質的に互いに接触するように構成することができる。
連結構成１４は、十分な力の印加時に、カバー１の第１の部分１Ａ及び第２の部分１Ｂを分離するように構成される。実施形態において、連結構成１４は、展開中のエアバッグ（座席に取り付けられたエアバッグとすることができる）から力が印加されたときに、第１の部分１Ａ及び第２の部分１Ｂを分離するように構成される。
【００３０】
幾つかの実施形態において、使用者はまた、例えばシートベルトへのアクセスを可能にするように、連結構成１４を手動で分離することもできる。
連結構成１４は、フック・アンド・ループ構成（ｈｏｏｋ  ａｎｄ  ｌｏｏｐ  ａｒｒａｎｇｅｍｅｎｔ）を含むことができ、フック部分がカバー１の第１の部分１Ａ又は第２の部分１Ｂ上に設けられ、ループ部分がカバー１の第１の部分１Ａ及び第２の部分１Ｂの他方の上に設けられ、フック部分はカバー１の第１の部分１Ａ及び第２の部分１Ｂを互いに連結するようにループ部分と係合可能である。
【００３１】
連結構成１４は、スナップ構成（ｐｏｐｐｅｒ  ａｒｒａｎｇｅｍｅｎｔ）を含むことができ、スナップ構成の一方の部分がカバー１の第１の部分１Ａ上に設けられ、スナッ構成の別の部分がカバー１の第２の部分１Ｂ上に設けられるので、スナップ構成の２つの部分は、カバーの第１の部分１Ａ及び第２の部分１Ｂを互いに連結するように互いに係合可能である。
【００３２】
実施形態において、連結構成１４は、タブ及びスロット構成を含むことができ、タブはカバー１の第１の部分１Ａ又は第２の部分１Ｂ上に設けられ、スロットはカバー１の第１の部分１Ａ及び第２の部分１Ｂの他方の上に設けられる。こうした実施形態において、スロットはタブを収容するように構成され、タブは、ひとたびスロットに押し込まれると、十分な力が印加されるまで、スロットからのタブの取りはずし抗する１つ又はそれ以上の突出部を含む。タブ及びスロットは、プラスチックから形成することができる。
【００３３】
実施形態によると、カバー１の第１の部分１Ａ及び第２の部分１Ｂは、カバー１のメインパネル４の幅の少なくとも一部を横切って延びるスリットにより形成することができ、第１の部分１Ａはスリットの一方の側に配置され、第２の部分１Ｂはスリットの対向する側に配置される。
【００３４】
実施形態において、連結構成１４は、カバー１のメインパネルの幅の少なくとも一部を横切るスリットに隣接するメインパネル４のコーナー部の方向に又はこれに取り付けられたスナップ構成の一方の部分を含む。スナップ構成のこの部分は、メインパネル４の前面から離れるように延びるように取り付けられる。メインパネル４は、スナップのこの部分の取付け位置における付加的な材料層により補強される。スナップ構成の他方の部分は、スリットを横切ってスナップ構成の他方の部分に対向する隣接するメインパネル４のコーナー部の方向に又はこれに取り付けられるタブ１５に取り付けられる。実施形態において、スナップ構成の他方の部分は、メインパネル４の後面から離れるように延びるように取り付けられる。実施形態において、スナップのこの部分は、第１のポケットパネル１１に取り付けられたタブ１５に取り付けられ、このタブ１５は、第１のポケット９の開口部を超えて延びることができる。実施形態において、スナップのこの部分は、深さパネル１１Ａ（設けられる場合）に取り付けられたタブに取り付けられる。
【００３５】
スナップを有する連結機構１４を含む実施形態に関して論じてきたが、他の実施形態においては、スナップは、他の形態の連結機構１４と置き換えることができることが理解されるであろう。
【００３６】
実施形態において、カバー１は、本明細書で説明される第１の部分１Ａ及び第２の部分１Ｂに対応する形で、更に別の（又は第２の）取り外し可能な連結構成１４によって互いに連結される、第３の部分１Ｃ及び第４の部分１Ｄを含む。従って、第１の部分１Ａ及び第２の部分１Ｂに関する説明は、第３の部分１Ｃ及び第４の部分１Ｄにも等しく適用される。
【００３７】
実施形態において、カバー１は、一対のスリットを含む。各スリットは、カバー１のそれぞれの部分１Ａ、１Ｂ、１Ｃ、１Ｄを定める。実施形態において、各スリットは、カバー１の幅の部分を横切って延びる。実施形態において、スリットは互いに位置合わせされる。実施形態において、スリットは、カバー１の部分の幅を定める。実施形態において、スリットは、第１のポケット９の開口部と概ね位置合わせされる。実施形態において、スリットは、カバー１のメインパネル４の外縁部から、カバー１の中心長手方向軸の方向に延びる。
【００３８】
カバー１は、織られた材料から製造することができる。カバー１は、ナイロン・ベースの材料又はポリエステル・ベースの材料から製造することができる。カバー１のメインパネル４は、第１の取付け構成５及び第２の取付け構成６とは異なる材料から製造することができる。カバー１、特にカバー１のメインパネル４は、材料を汚さないようにすること及び／又は材料の摩耗特性を改善することを意図したコーティングを有する材料から製造することができる。
【００３９】
第１及び第２の取付け構成５、６は、ポケット９、１２として説明されている。しかしながら、他の取付け構成５、６を設けることもできることが理解されるであろう。取付け構成５、６はそれぞれ、カバー２を座席１（又はその部分）に固定するために座席１の少なくとも一部の周りに取り付けるように構成された部材を含むことができる。部材は、ストラップを含むことができる。ストラップは、座席１の少なくとも一部の周りに互いに連結されるように構成された２つの部分を含むことができる。
【００４０】
座席カバー１は、座席２用の取り外し可能なカバー１である。こうしたカバー１は、一時的カバー１であり、恒久的なものであると考えられる座席１の表皮とは区別される。座席カバー１は、メカニックにより使用されるカバー１として使用するのに適している。実施形態において、座席カバー１は、複数の異なるタイプの座席２に取り付けられるように構成される。実施形態において、カバー１は、座席１に再取付け可能なように構成されるので、カバー１を座席１に取り付け、座席１から取り外し、座席１に再取り付けすることができる。座席カバー１は、座席２の通常の表皮の上に取り付けられるように構成された「オーバーカバー」である。
【００４１】
実施形態において、当該又は各々の連結構成１４は連結可能であるので、連結構成１４を連結し、分離し、次いで再連結することができる。
当該又は各々の連結構成１４は、手動で分離することができる。当該又は各々の連結構成１４は、カバー１を座席２に取り付けている際に通常印加される力を受けたときに連結されたままであるように構成することができる。
【００４２】
カバー１のメインパネル４は、カバー１のメインパネル４の上にロゴを印刷又は転写することができるように構成することができる。
理解されるように、カバー１のメインパネル４は、取り付けられる座席２の本質的部分を覆うように意図されるので、座席２の表皮はメインパネル４により保護される。従って、メインパネル４は、該メインパネル４を形成するために互いに接続される複数のサブパネルを含むことができる。
本明細書で説明される当該又は各々のスリットの縁部は、当該又は各々のスリットに隣接する材料を補強するための管を含むことができる。
【００４３】
連結機構１４（又は該当する場合、複数の連結機構１４）は、分離されたとき、座席カバー２が依然として座席２に取り付けられている状態で、座席カバー１の第１の部分１Ａ及び第２の部分１Ｂ（及び該当する場合、第３の部分１Ｃ及び第４の部分１Ｄ）が互いに対して動くのを可能にすることが理解されるであろう。従って、これにより、例えばエアバッグがより自由に膨らむこと又はシートベルトへのより大きいアクセスが可能になる。
【００４４】
本発明の実施形態は、座席カバー１を含む車両保守キットを含むことができることが理解されるであろう。更に別の実施形態は、こうした保守キットを含む及び／又は座席カバー２が取り付けられた座席１を含む車両を含むことができる。
【００４５】
本明細書で使用される場合の用語「車両」３は、輸送手段への一般的な参照として使用されている。典型的には、車両３は、定期保守が施され、かつ、こうした保守の際に汚れるリスクに曝されることがあるタイプのものである。車両３は、自動車、バン、大型トラック、トラック、バス、列車などの陸上車両とすることができる。実施形態において、車両３は、飛行機、船、ボート、ホバークラフト、ヘリコプターとすることができる。
本発明の実施形態は、皮製座席カバーのような高価な又は慎重な扱いを要する表皮を含む座席との関連で特に有用である。
【００４６】
本明細書及び特許請求の範囲で用いられる場合、「含む（ｃｏｍｐｒｉｓｅ）」及び「ｃｏｍｐｒｉｓｉｎｇ（含んでいる）」及びその変形は、特定の特徴、ステップ、又は整数が含まれることを意味する。この用語は、他の特徴、ステップ、又は構成要素の存在を排除するものと解釈されるべきではない。
【００４７】
本発明を様々の形で実現するために、特定の形態で、又は開示された機能を実施するための手段又は必要に応じて開示される結果を得るための方法若しくはプロセスに関して表された、上記の説明又は以下の特許請求の範囲又は添付図面に開示される特徴は、別個に又はこうした特徴のいずれかの組み合わせで利用することができる。
【符号の説明】
【００４８】
１  座席カバー
２  座席
３  車両
４  メインパネル
５  第１の取付け構成
６  第２の取付け構成
７  背面
８  クッション
９  第１のポケット
１０  ヘッドレスト
１１  第１のポケットパネル
１１Ａ  深さパネル
１２  第２のポケット
１３  第２のポケットパネル
１４  連結機構
１５  タブ
【図１】
2015508737.tif 000003
【図２】
2015508737.tif 000004
【図３】
2015508737.tif 000005
【図４】
2015508737.tif 000006
【図５】
2015508737.tif 000007
【図６】
2015508737.tif 000008
【図７】
2015508737.tif 000009
【国際調査報告】
2015508737.tif 000010
2015508737.tif 000011